【事件の表示】
　特願２０１１−１３１５９６「Ｘ線撮影システム及びＸ線撮影装置作動方法」拒絶査定不服審判事件〔平成２４年　１月　５日出願公開、特開２０１２−　　　４５９、請求項の数（２６）〕について、次のとおり審決する。
【結　論】
　原査定を取り消す。
　本願の発明は、特許すべきものとする。
【理　由】
第１　手続の経緯
　本願は、平成２３年６月１３日（パリ条約による優先権主張　２０１０年６月１１日　米国、２０１１年５月２３日　米国）を出願日とする出願であって、平成２７年４月３０日付けで拒絶理由が通知され、同年１１月９日付けで手続補正がされ、平成２８年２月２５日付けで拒絶査定（以下、「原査定」という。）がされ、これに対し、同年６月２８日に拒絶査定不服審判の請求がされると同時に手続補正がされ、平成２９年５月２３日付けで拒絶理由（以下、「当審拒絶理由１」という。）が通知がされ、同年９月２６日付けで手続補正がされ、同年１０月１０日付けで拒絶理由（以下、「当審拒絶理由２」という。）が通知がされ、平成３０年３月１２日付けで手続補正がされたものである。
第２　原査定の概要
　原査定の概要は次のとおりである。
（進歩性）本願請求項１〜３３に係る発明は、以下の引用文献Ａ〜Ｅに基づいて、当業者が容易に発明をすることができたものであるから、特許法第２９条第２項の規定により特許を受けることができない。 
引用文献等一覧
Ａ．特開平７−３０３６３０号公報
Ｂ．特開２００４−２０８７９９号公報
Ｃ．特開２００４−３２９２９３号公報
Ｄ．特開２００８−２７９１１７号公報
Ｅ．特開２００７−５４３７８号公報 
第３　当審拒絶理由の概要
１　当審拒絶理由１の概要
　当審拒絶理由１の概要は次のとおりである。
（明確性）本願の請求項１〜３３に係る発明が明確であるとはいえないことから、特許請求の範囲の記載は特許法第３６条第６項第２号に規定する要件を満たしていない。
２　当審拒絶理由２の概要
　当審拒絶理由２の概要は次のとおりである。
・当審拒絶理由２−１
（新規性）本願請求項１、２、４〜３２に係る発明は、以下の引用文献１に記載された発明であるから、特許法第２９条第１項第３号に該当し、特許を受けることができない。
（進歩性）本願請求項１、２、４〜３２に係る発明は、以下の引用文献１に記載された発明に基づいて、当業者が容易に発明をすることができたものであるから、特許法第２９条第２項の規定により特許を受けることができない。 
・当審拒絶理由２−２
（新規性）本願請求項１、４〜１６、３１、３２に係る発明は、以下の引用文献２に記載された発明であるから、特許法第２９条第１項第３号に該当し、特許を受けることができない。 
（進歩性）本願請求項１、４〜１６、３１、３２に係る発明は、以下の引用文献２に記載された発明に基づいて、当業者が容易に発明をすることができたものであるから、特許法第２９条第２項の規定により特許を受けることができない。
引用文献等一覧 
１．特開２００４−１８０７１５号公報（当審において新たに引用した文献）
２．特開２００５−２０４７０７号公報（当審において新たに引用した文献）
 
・当審拒絶理由２−３
（明確性）本願の請求項１〜３２に係る発明が明確であるとはいえないことから、特許請求の範囲の記載は特許法第３６条第６項第２号に規定する要件を満たしていない。
第４　本願発明
　本願の請求項１〜２６に係る発明（以下、それぞれを「本願発明１」〜「本願発明２６」といい、総称して「本願発明」という。）は、平成３０年３月１２日付けの手続補正で補正された特許請求の範囲の請求項１〜２６に記載された事項により特定されるとおりのものである。
　本願発明１は以下のとおり。
  
 「被写体を透過するＸ線を放射するエミッタ及びこのＸ線を受けるレシーバを有する撮影装置と、前記エミッタを制御し、前記レシーバによって受けられた前記Ｘ線を処理して前記被写体のＸ線画像を生成する制御回路と、を備えたＸ線撮影システムであって、
　前記制御回路は前記撮影装置を制御し、Ｘ線撮影する関心領域を特定するための前記被写体のＸ線位置付け画像を生成するように構成され、
　前記制御回路はまた、ディスプレイを制御して前記位置付け画像の一部を表示させ、前記位置付け画像の表示部分が前記Ｘ線撮影する関心領域となるように構成され、前記ディスプレイによる前記位置付け画像の前記表示部分を前記ディスプレイ上でユーザが移動させて修正し、前記位置付け画像上で前記Ｘ線撮影する前記関心領域を特定することが可能であり、
　そして、前記制御回路はさらに、前記撮影装置を制御し、ユーザによる前記位置付け画像の前記表示部分の移動による修正に基づいて、前記被写体の前記Ｘ線撮影する関心領域のＸ線画像を生成するように構成されている、ことを特徴とするＸ線撮影システム。」
第５　引用文献、引用発明等
１　引用文献１について
　引用文献１には、図面とともに次の事項が記載されている。（下線は、当審において付加したものである。以下、同様。）
（１）「【０００９】
図１は本発明の実施形態に係るＸ線コンピュータ断層撮影装置の構成を示す図である。
Ｘ線コンピュータ断層撮影装置は、ガントリ１００を有する。ガントリ１００は、
回転フレーム１０２を有する。回転フレーム１０２にはＸ線管１０１
Ｘ線検出器１０３が取り付けられている。
・・・
【００１２】
Ｘ線検出器１０３には、
ＤＡＳ
１０４が接続されている。
ＤＡＳ１０４には、
前処理装置１０６が接続される。前処理を受けたデータ（投影データ）は、記憶装置１１２に記憶される。
【００１３】
記憶装置１１２は、
画像再構成装置１１４、表示装置１１６、
入力装置１１５、画像処理装置１１３、スキャンを実行するためにガントリ１００及び高電圧発生装置１０９を制御するためのスキャンコントローラ１１０とともに、
システムコントローラ１１１に接続される。
（２）「【００１４】
図２は、本実施形態の
一連の処理の流れ
まず、Ｓ１
スキャノグラムが撮影される
スキャノグラム撮影により収集されたデータに基づいてスキャノグラムデータが画像処理装置１１３において生成され、表示装置１１６に表示される（Ｓ２）
【００１５】
表示されたスキャノグラム上で
第１のスキャン範囲
が操作者による入力装置１１５の操作に従って設定され、また第１のスキャン条件が設定される（Ｓ３）
・・・
【００１７】
このような第１のスキャン範囲に対して第１のスキャン条件で第１のスキャンがスキャンコントローラ１１０の制御により実行される（Ｓ４）
【００１８】
第１のスキャンにより収集された第１のスキャン範囲内の投影データに基づいて再構成処理が再構成装置１１４において行われる（Ｓ５）
【００１９】
このボリュームデータは、対象臓器及びその周辺の臓器や組織構造に関するの広範囲にわたる診断のために用いられると共に、第２のスキャンに関するスキャン範囲（第２のスキャン範囲）を設定するためにも使用される。
画像処理装置１１３において、ボリュームデータから
３次元画像（３Ｄ像）のデータが生成され、表示装置１１６に表示される（Ｓ６）
【００２０】
操作者は入力装置１１５を操作し、この３Ｄ像を画面上で任意に回転させながら全ての向きで心臓領域を包含するように
第２のスキャン範囲を設定する（Ｓ７）
・・・
【００２３】
このような第２のスキャン範囲に対して第２のスキャン条件で第２のスキャンが実行される（Ｓ８）
・・・
【００２５】
Ｓ８で収集された第２のスキャン範囲内の投影データに基づいて再構成処理が再構成装置１１４において行われる（Ｓ９）
・・・
【００３０】
複数の再構成位置で再構成処理が繰り返され、最終的にボリュームデータとして生成され、このボリュームデータに対して画像処理装置１１３において３Ｄ像、ＭＰＲ像、その他任意の画像が生成され、表示される（Ｓ１０）
（３）図１には、以下の図面が示されている。
（４）図２には、以下の図面が示されている。
（５）図３には、以下の図面が示されている。
　したがって、引用文献１には、次の発明（以下、「引用発明１」という。）が記載されていると認められる。
　「ガントリ１００を有し、ガントリ１００は、回転フレーム１０２を有し、回転フレーム１０２にはＸ線管１０１、Ｘ線検出器１０３が取り付けられ、
　Ｘ線検出器１０３には、ＤＡＳ１０４が接続され、ＤＡＳ１０４には、前処理装置１０６が接続され、前処理を受けたデータ（投影データ）は、記憶装置１１２に記憶され、記憶装置１１２は、画像再構成装置１１４、表示装置１１６、入力装置１１５、画像処理装置１１３、スキャンを実行するためにガントリ１００及び高電圧発生装置１０９を制御するためのスキャンコントローラ１１０とともに、システムコントローラ１１１に接続される、
　Ｘ線コンピュータ断層撮影装置であって、
　一連の処理の流れとして、
　まず、スキャノグラムが撮影され（Ｓ１）、
　スキャノグラム撮影により収集されたデータに基づいてスキャノグラムデータが画像処理装置１１３において生成され、表示装置１１６に表示され（Ｓ２）、
　表示されたスキャノグラム上で第１のスキャン範囲が操作者による入力装置１１５の操作に従って設定され、また第１のスキャン条件が設定され（Ｓ３）、
　このような第１のスキャン範囲に対して第１のスキャン条件で第１のスキャンがスキャンコントローラ１１０の制御により実行され（Ｓ４）、
　第１のスキャンにより収集された第１のスキャン範囲内の投影データに基づいて再構成処理が再構成装置１１４において行われ（Ｓ５）、
　画像処理装置１１３において、ボリュームデータから３次元画像（３Ｄ像）のデータが生成され、表示装置１１６に表示され（Ｓ６）、
　操作者は入力装置１１５を操作し、この３Ｄ像を画面上で任意に回転させながら全ての向きで心臓領域を包含するように第２のスキャン範囲を設定し（Ｓ７）、
　このような第２のスキャン範囲に対して第２のスキャン条件で第２のスキャンが実行され（Ｓ８）、
　Ｓ８で収集された第２のスキャン範囲内の投影データに基づいて再構成処理が再構成装置１１４において行われ（Ｓ９）、
　複数の再構成位置で再構成処理が繰り返され、最終的にボリュームデータとして生成され、このボリュームデータに対して画像処理装置１１３において３Ｄ像、ＭＰＲ像、その他任意の画像が生成され、表示される（Ｓ１０）、
　Ｘ線コンピュータ断層撮影装置。」 
２　引用文献２について
　引用文献２には、図面とともに次の事項が記載されている。
（１）「【００１４】
　図１に示すように、
Ｘ線ＣＴ装置１は、走査ガントリ
２、操作コンソール
３および撮影テーブル
４を有している。
【００１５】
　
走査ガントリ２は、Ｘ線管２１、コリメータ２２、検出器アレイ２３、データ収集部２４、Ｘ線コントローラ２５およびコリメータコントローラ２６を有する。
　
Ｘ線管２１はＸ線を放射する。Ｘ線管２１により放射されたＸ線は、
検出器アレイ２３に照射される。
・・・
【００１７】
　データ収集部２４は、検出器アレイ２３の個々のＸ線検出素子の検出データを収集する。
　
Ｘ線コントローラ
２５は、Ｘ線管２１からのＸ線の照射を制御する。
　コリメータコントローラ２６は、コリメータ２２を制御する。
　なお、Ｘ線管２１とＸ線コントローラ２５との接続関係およびコリメータ２２とコリメータコントローラ２６との接続関係については図示が省略されている。
・・・
【００２０】
　
操作コンソール３は、中央処理装置３１、入力装置３２、表示装置３３および記憶装置３４を有する。
【００２１】
　中央処理装置３１は、たとえば、マイクロプロセッサ、メモリ等によって構成される。
　この中央処理装置３１は、記憶装置３４に記憶されたプログラムにしたがって、走査ガントリ２の動作を制御する。また、
中央処理装置３１は、被検体を透過したＸ線を検出器アレイ２３で検出して得られる投影データを収集する機能と、収集したＸ線投影データに基づいて、被検体の断層像を再構成する機能とを少なくとも有する。
　上記の中央処理装置３１による画像再構成処理については後述する。
　中央処理装置３１は、表示装置３３と入力装置３２とそれぞれ接続されている。」
（２）「【００２７】
　次に、本発明に係るＸ線ＣＴ装置１の動作を図を参照して説明する。
【００２８】
　図４は、本発明の
Ｘ線ＣＴ装置１の動作
【００２９】
　
まず、使用者は、入力装置３２を介してスカウト撮影を行う方向およびスカウト撮影を行う範囲を設定し、設定された範囲に基づいてスカウト撮影を行う（ＳＴ１）。
【００３０】
　中央処理装置３１は、設定された条件に基づいて所定の範囲および方向において被検体を走査するように走査ガントリ２を制御する。このとき、走査ガントリ２は、回転せずにＸ線管２１および検出器アレイ２３を一定の位置のまま移動して走査する。検出器アレイ２３は、得られたデータをデータ収集部２４を介して中央処理装置３１に出力する。
中央処理装置３１は、得られたデータに基づいてスカウト画像を生成し、表示装置３３に出力する。
【００３１】
　
次に、使用者は表示装置３３に表示された被検体のスカウト画像を観察し、２枚のスカウト画像を用いて任意の再構成面を選択する（ＳＴ２）。
・・・
【００３５】
　次に、図５（ｃ）に示すように、
中央処理装置３１は、サジタル面Ｓおよびコロナル面Ｃのスカウト画像において設定された直線ＳＬにより選択される再構成面ＲＰを表示装置３３に表示する。
【００３６】
　
次に、使用者は、再構成によって生成される画像の範囲および画像を生成する間隔などを設定する（ＳＴ３）。
・・・
【００４２】
　
次に、選択された再構成面、再構成条件および走査条件を確認し、必要であれば、再度ステップＳＴ２からやり直す（ＳＴ４）。
  あるいは、上記の再構成面は第１の領域Ｒ１および第２の領域Ｒ２において平行な面によって設定されているので、使用者は、他の領域に第１および第２の領域Ｒ１，Ｒ２において設定された再構成面と異なる方向に再構成面を選択してもよい。
・・・【００４５】
　
再構成面、再構成条件および走査条件を設定した後に、設定された条件に基づいて被検体を走査する（ＳＴ５）。
・・・【００４７】
　 
次に、中央処理装置３１は、ステップＳＴ５において得られた投影データと、ステップＳＴ２およびステップＳＴ３において設定された条件に基づいて再構成処理を行う（ＳＴ６）。
（３）図１には、以下の図面が示されている。
（４）図４には、以下の図面が示されている。
　したがって、引用文献２には、次の発明（以下、「引用発明２」という。）が記載されていると認められる。
　「走査ガントリ２、操作コンソール３および撮影テーブル４を有し、
　走査ガントリ２は、Ｘ線管２１、コリメータ２２、検出器アレイ２３、データ収集部２４、Ｘ線コントローラ２５およびコリメータコントローラ２６を有し、Ｘ線管２１はＸ線を放射し、Ｘ線管２１により放射されたＸ線は、検出器アレイ２３に照射され、Ｘ線コントローラ２５は、Ｘ線管２１からのＸ線の照射を制御しており、
　操作コンソール３は、中央処理装置３１、入力装置３２、表示装置３３および記憶装置３４を有し、中央処理装置３１は、被検体を透過したＸ線を検出器アレイ２３で検出して得られる投影データを収集する機能と、収集したＸ線投影データに基づいて、被検体の断層像を再構成する機能とを少なくとも有している、
　Ｘ線ＣＴ装置１であって、
　Ｘ線ＣＴ装置１の動作として、
　まず、使用者は、入力装置３２を介してスカウト撮影を行う方向およびスカウト撮影を行う範囲を設定し、設定された範囲に基づいてスカウト撮影を行い（ＳＴ１）、中央処理装置３１は、得られたデータに基づいてスカウト画像を生成し、表示装置３３に出力し、
　次に、使用者は表示装置３３に表示された被検体のスカウト画像を観察し、２枚のスカウト画像を用いて任意の再構成面を選択し（ＳＴ２）、中央処理装置３１は、サジタル面Ｓおよびコロナル面Ｃのスカウト画像において設定された直線ＳＬにより選択される再構成面ＲＰを表示装置３３に表示し、
　次に、使用者は、再構成によって生成される画像の範囲および画像を生成する間隔などを設定し（ＳＴ３）、
　 次に、選択された再構成面、再構成条件および走査条件を確認し、必要であれば、再度ステップＳＴ２からやり直し（ＳＴ４）、
　再構成面、再構成条件および走査条件を設定した後に、設定された条件に基づいて被検体を走査し（ＳＴ５）、
　次に、中央処理装置３１は、ステップＳＴ５において得られた投影データと、ステップＳＴ２およびステップＳＴ３において設定された条件に基づいて再構成処理を行う（ＳＴ６）、
　Ｘ線ＣＴ装置１。」
３　引用文献Ａ〜Ｅについて
　引用文献Ａ（特に、【０００５】、【０００６】、図３を参照。）、引用文献Ｂ（特に、【００４１】、図８を参照。）、引用文献Ｃ（特に、【００４４】〜【００４８】、図３、４を参照。）及び引用文献Ｄ（【０１６６】、図２５を参照。）には、「Ｘ線撮影システムにおいて、位置付け画像上で、撮影位置を決定する」という技術的事項が記載されていると認められる。
　また、引用文献Ｅ（【００２２】、図１１）には、「Ｘ線撮影システムにおいて、イニシャルビューにポジションマーカーを表示する」という技術的事項が記載されていると認められる。
第６　当審拒絶理由２−１について
１　本願発明１について 
（１）対比
　本願発明１と引用発明１とを対比する。
ア　引用発明１の「Ｘ線管１０１」及び「Ｘ線検出器１０３」は、それぞれ本願発明１の「エミッタ」及び「レシーバ」に相当するところ、引用発明１の「Ｘ線管１０１、Ｘ線検出器１０３が取り付けられ」た装置は、撮影装置であるから、本願発明１の「被写体を透過するＸ線を放射するエミッタ及びこのＸ線を受けるレシーバを有する撮影装置」に相当する。
イ　引用発明１の「スキャンコントローラ１１０」は、「スキャンを実行するためにガントリ１００及び高電圧発生装置１０９を制御する」回路、すなわち「Ｘ線管１０１」を制御する回路であるから、本願発明１の「前記エミッタを制御」する「制御回路」に相当する。また、引用発明１の「画像再構成装置１１４」及び「画像処理装置１１３」は、「画像再構成装置１１４」により「投影データに基づいて再構成処理」し、「画像処理装置１１３」により「３Ｄ像、ＭＰＲ像、その他任意の画像」を「生成」する回路であるから、本願発明１の「前記レシーバによって受けられた前記Ｘ線を処理して前記被写体のＸ線画像を生成する制御回路」に相当する。
　よって、引用発明１の「画像再構成装置１１４」、「画像処理装置１１３」及び「スキャンコントローラ１１０」は、本願発明１の「前記エミッタを制御し、前記レシーバによって受けられた前記Ｘ線を処理して前記被写体のＸ線画像を生成する制御回路」に相当する。
ウ　引用発明１の「Ｘ線コンピュータ断層撮影装置」は、本願発明１の「Ｘ線撮影システム」に相当する。
エ　引用発明１の「第１のスキャン範囲に対して第１のスキャン条件で第１のスキャンがスキャンコントローラ１１０の制御により実行され（Ｓ４）、
　第１のスキャンにより収集された第１のスキャン範囲内の投影データに基づいて再構成処理が再構成装置１１４において行われ（Ｓ５）、
　画像処理装置１１３において、ボリュームデータから３次元画像（３Ｄ像）のデータが生成され」る「（Ｓ６）」ことは、ここでの「３次元画像（３Ｄ像）」が、（Ｓ７）の「心臓領域を包含する」「第２のスキャン範囲」を「設定」するために用いられることから、本願発明１の「Ｘ線撮影する関心領域を特定するための前記被写体のＸ線位置付け画像」に相当するところ、本願発明１の「前記制御回路は前記撮影装置を制御し、Ｘ線撮影する関心領域を特定するための前記被写体のＸ線位置付け画像を生成するように構成され」ることに相当する。
オ　引用発明１の「画像処理装置１１３において、ボリュームデータから３次元画像（３Ｄ像）のデータが」、「表示装置１１６に表示され（Ｓ６）、
　操作者は入力装置１１５を操作し、この３Ｄ像を画面上で任意に回転させながら全ての向きで心臓領域を包含するように第２のスキャン範囲を設定」する「（Ｓ７）」ことと、本願発明１の「前記制御回路はまた、ディスプレイを制御して前記位置付け画像の一部を表示させ、前記位置付け画像の表示部分が前記Ｘ線撮影する関心領域となるように構成され、前記ディスプレイによる前記位置付け画像の前記表示部分を前記ディスプレイ上でユーザが移動させて修正し、前記位置付け画像上で前記Ｘ線撮影する前記関心領域を特定することが可能であ」ることとは、「前記制御回路はまた、ディスプレイを制御して前記位置付け画像を表示させ、前記ディスプレイ上でユーザが前記位置付け画像上の前記Ｘ線撮影する関心領域を特定することが可能であ」る点で共通する。
カ　引用発明１の「第２のスキャン範囲に対して第２のスキャン条件で第２のスキャンが実行され（Ｓ８）、
　Ｓ８で収集された第２のスキャン範囲内の投影データに基づいて再構成処理が再構成装置１１４において行われ（Ｓ９）、
　複数の再構成位置で再構成処理が繰り返され、最終的にボリュームデータとして生成され、このボリュームデータに対して画像処理装置１１３において３Ｄ像、ＭＰＲ像、その他任意の画像が生成され」る「（Ｓ１０）」ことと、本願発明１の「そして、前記制御回路はさらに、前記撮影装置を制御し、ユーザによる前記位置付け画像の前記表示部分の移動による修正に基づいて、前記被写体の前記Ｘ線撮影する関心領域のＸ線画像を生成するように構成されている」こととは、「そして、前記制御回路はさらに、前記撮影装置を制御し、ユーザによる前記位置付け画像上の前記Ｘ線撮影する関心領域の特定に基づいて、前記被写体の前記Ｘ線撮影する関心領域のＸ線画像を生成するように構成されている」点で共通する。
（２）一致点、相違点
　してみると、本願発明１と引用発明１とは、次の一致点で一致し、次の各点で相違する。
（一致点）
　「被写体を透過するＸ線を放射するエミッタ及びこのＸ線を受けるレシーバを有する撮影装置と、前記エミッタを制御し、前記レシーバによって受けられた前記Ｘ線を処理して前記被写体のＸ線画像を生成する制御回路と、を備えたＸ線撮影システムであって、
　前記制御回路は前記撮影装置を制御し、Ｘ線撮影する関心領域を特定するための前記被写体のＸ線位置付け画像を生成するように構成され、
　前記制御回路はまた、ディスプレイを制御して前記位置付け画像を表示させ、前記ディスプレイ上でユーザが前記位置付け画像上の前記Ｘ線撮影する関心領域を特定することが可能であり、
　そして、前記制御回路はさらに、前記撮影装置を制御し、ユーザによる前記位置付け画像上の前記Ｘ線撮影する関心領域の特定に基づいて、前記被写体の前記Ｘ線撮影する関心領域のＸ線画像を生成するように構成されている、Ｘ線撮影システム。」
（相違点１） 
　位置付け画像上でＸ線撮影する関心領域の特定を、本願発明１では、「ディスプレイを制御して前記位置付け画像の一部を表示させ、前記位置付け画像の表示部分が前記Ｘ線撮影する関心領域となるように構成され、前記ディスプレイによる前記位置付け画像の前記表示部分を前記ディスプレイ上でユーザが移動させて修正し」て行うのに対し、引用発明１では、「操作者は入力装置１１５を操作し、この３Ｄ像を画面上で任意に回転させながら全ての向きで心臓領域を包含するように第２のスキャン範囲を設定し（Ｓ７）」て行う点。
（相違点２）
　被写体のＸ線撮影する関心領域のＸ線画像の生成を、本願発明１では、「ユーザによる前記位置付け画像の前記表示部分の移動による修正に基づいて」行うのに対し、引用発明１では、「操作者」により「設定」された「第２のスキャン範囲に対して」「実行され（Ｓ８）」る点。
（３）相違点についての判断 
　上記相違点１について検討する。
　上記相違点１に係る本願発明１の構成は、引用文献１、２及び引用文献Ａ〜Ｅ（上記「第５」を参照。）のいずれにも記載も示唆もされておらず、本願優先日前における周知技術でもない。 
　よって、上記相違点１に係る本願発明１の構成は、引用発明１に基づいて当業者が容易に想到し得たことではない。 
（４）小括
　以上のとおり、上記相違点１は実質的な相違点であるから、本願発明１は、引用文献１に記載された発明であるとはいえない。
　また、他の相違点について判断するまでもなく、本願発明１は、引用発明１に基づいて当業者が容易に発明をすることができたものであるとはいえない。
　したがって、当審拒絶理由２−１を維持することはできない。
２　本願発明２〜２６について 
　本願発明２〜２６は、上記相違点１に係る本願発明１の構成に相当する構成を備えている。
　よって、本願発明２〜２６は、上記１と同じ理由により、引用文献１に記載された発明であるとはいえない。
　また、本願発明２〜２６は、上記１と同じ理由により、引用発明１に基づいて当業者が容易に発明をすることができたものであるとはいえない。
　したがって、当審拒絶理由２−１を維持することはできない。
第７　当審拒絶理由２−２について
１　本願発明１について 
（１）対比
　本願発明１と引用発明２とを対比する。
ア　引用発明２の「Ｘ線管２１」及び「検出器アレイ２３」は、それぞれ本願発明１の「エミッタ」及び「レシーバ」に相当するところ、引用発明２の「Ｘ線管２１」及び「検出器アレイ２３」を有し、「Ｘ線管２１はＸ線を放射し、Ｘ線管２１により放射されたＸ線は、検出器アレイ２３に照射され」る装置は、撮影装置であるから、本願発明１の「被写体を透過するＸ線を放射するエミッタ及びこのＸ線を受けるレシーバを有する撮影装置」に相当する。
イ　引用発明２の「Ｘ線コントローラ２５」は、「Ｘ線管２１からのＸ線の照射を制御」する回路であるから、本願発明１の「前記エミッタを制御」する「制御回路」に相当する。また、引用発明２の「中央処理装置３１」は、「被検体を透過したＸ線を検出器アレイ２３で検出して得られる投影データを収集する機能と、収集したＸ線投影データに基づいて、被検体の断層像を再構成する機能とを少なくとも有している」回路であるから、本願発明１の「前記レシーバによって受けられた前記Ｘ線を処理して前記被写体のＸ線画像を生成する制御回路」に相当する。
　よって、引用発明２の「Ｘ線コントローラ２５」及び「中央処理装置３１」は、本願発明１の「前記エミッタを制御し、前記レシーバによって受けられた前記Ｘ線を処理して前記被写体のＸ線画像を生成する制御回路」に相当する。
ウ　引用発明２の「Ｘ線ＣＴ装置１」は、本願発明２の「Ｘ線撮影システム」に相当する。
エ　引用発明２の「設定された範囲に基づいてスカウト撮影を行い（ＳＴ１）、中央処理装置３１は、得られたデータに基づいてスカウト画像を生成」することは、ここでの「スカウト画像」が、（ＳＴ２）の「任意の再構成面を選択」するために用いられることから、本願発明１の「Ｘ線撮影する関心領域を特定するための前記被写体のＸ線位置付け画像」に相当するところ、本願発明１の「前記制御回路は前記撮影装置を制御し、Ｘ線撮影する関心領域を特定するための前記被写体のＸ線位置付け画像を生成するように構成され」ることに相当する。
オ　引用発明２の「中央処理装置３１は、得られたデータに基づいてスカウト画像を」「表示装置３３に出力し、」「次に、使用者は表示装置３３に表示された被検体のスカウト画像を観察し、２枚のスカウト画像を用いて任意の再構成面を選択」する「（ＳＴ２）」ことと、本願発明１の「前記制御回路はまた、ディスプレイを制御して前記位置付け画像の一部を表示させ、前記位置付け画像の表示部分が前記Ｘ線撮影する関心領域となるように構成され、前記ディスプレイによる前記位置付け画像の前記表示部分を前記ディスプレイ上でユーザが移動させて修正し、前記位置付け画像上で前記Ｘ線撮影する前記関心領域を特定することが可能であ」ることととは、「前記制御回路はまた、ディスプレイを制御して前記位置付け画像を表示させ、前記ディスプレイ上でユーザが前記位置付け画像上の前記Ｘ線撮影する前記関心領域を特定することが可能であ」る点で共通する。
カ　引用発明２の「再構成面、再構成条件および走査条件を設定した後に、設定された条件に基づいて被検体を走査し（ＳＴ５）、
　次に、中央処理装置３１は、ステップＳＴ５において得られた投影データと、ステップＳＴ２およびステップＳＴ３において設定された条件に基づいて再構成処理を行う（ＳＴ６）」ことと、本願発明１の「そして、前記制御回路はさらに、前記撮影装置を制御し、ユーザによる前記位置付け画像の前記表示部分の移動による修正に基づいて、前記被写体の前記Ｘ線撮影する関心領域のＸ線画像を生成するように構成されている」こととは、「そして、前記制御回路はさらに、前記撮影装置を制御し、ユーザによる前記位置付け画像上の前記Ｘ線撮影する関心領域の特定に基づいて、前記被写体の前記Ｘ線撮影する関心領域のＸ線画像を生成するように構成されている」点で共通する。
（２）一致点、相違点
　してみると、本願発明１と引用発明２とは、次の一致点で一致し、次の各点で相違する。
（一致点）
　「被写体を透過するＸ線を放射するエミッタ及びこのＸ線を受けるレシーバを有する撮影装置と、前記エミッタを制御し、前記レシーバによって受けられた前記Ｘ線を処理して前記被写体のＸ線画像を生成する制御回路と、を備えたＸ線撮影システムであって、
　前記制御回路は前記撮影装置を制御し、Ｘ線撮影する関心領域を特定するための前記被写体のＸ線位置付け画像を生成するように構成され、
　前記制御回路はまた、ディスプレイを制御して前記位置付け画像を表示させ、前記ディスプレイ上でユーザが前記位置付け画像上の前記Ｘ線撮影する関心領域を特定することが可能であり、
　そして、前記制御回路はさらに、前記撮影装置を制御し、ユーザによる前記位置付け画像上の前記Ｘ線撮影する関心領域の特定に基づいて、前記被写体の前記Ｘ線撮影する関心領域のＸ線画像を生成するように構成されている、Ｘ線撮影システム。」
（相違点３） 
　位置付け画像上でＸ線撮影する関心領域の特定を、本願発明１では、「ディスプレイを制御して前記位置付け画像の一部を表示させ、前記位置付け画像の表示部分が前記Ｘ線撮影する関心領域となるように構成され、前記ディスプレイによる前記位置付け画像の前記表示部分を前記ディスプレイ上でユーザが移動させて修正し」て行うのに対し、引用発明２では、「使用者は表示装置３３に表示された被検体のスカウト画像を観察し、２枚のスカウト画像を用いて任意の再構成面を選択し（ＳＴ２）」て行う点。
（相違点４）
　被写体のＸ線撮影する関心領域のＸ線画像の生成を、本願発明１では、「ユーザによる前記位置付け画像の前記表示部分の移動による修正に基づいて」行うのに対し、引用発明２では、「使用者」により「設定」された「再構成面」に基づいて行う点。
（３）相違点についての判断 
　上記相違点１について検討する。
　上記相違点３に係る本願発明１の構成（引用発明１との対比に基づく相違点１と同じ構成である。）は、引用文献１、２及び引用文献Ａ〜Ｅ（上記「第５」を参照。）のいずれにも記載も示唆もされておらず、本願優先日前における周知技術でもない。 
　よって、上記相違点３に係る本願発明１の構成は、引用発明２に基づいて当業者が容易に想到し得たことではない。 
（４）小括
　以上のとおり、上記相違点３は実質的な相違点であるから、本願発明１は、引用文献２に記載された発明であるとはいえない。
　また、他の相違点について判断するまでもなく、本願発明１は、引用発明２に基づいて当業者が容易に発明をすることができたものであるとはいえない。
　したがって、当審拒絶理由２−２を維持することはできない。
２　本願発明２〜２６について 
　本願発明２〜２６は、上記相違点３に係る本願発明１の構成に相当する構成を備えている。
　よって、本願発明２〜２６は、上記１と同じ理由により、引用文献２に記載された発明であるとはいえない。
　また、本願発明２〜２６は、上記１と同じ理由により、引用発明２に基づいて当業者が容易に発明をすることができたものであるとはいえない。
　したがって、当審拒絶理由２−１を維持することはできない。
第８　当審拒絶理由１及び２−３について
　平成２９年９月２６日付けの手続補正、及び平成３０年３月１２日付けの手続補正で補正された結果、本願発明は明確となった。
　したがって、当審拒絶理由１及び２−３を維持することはできない。
第９　原査定について
　上記「第６」１（３）及び上記「第７」１（３）のとおり、上記相違点１（上記相違点３）に係る本願発明１の構成は、引用文献１、２及び引用文献Ａ〜Ｅのいずれにも記載も示唆もされておらず、本願優先日前における周知技術でもない。
　よって、本願発明１〜２６は、上記「第６」及び「第７」と同じ理由により、引用文献Ａ〜Ｅに記載された発明に基づいて当業者が容易に発明をすることができたものであるとはいえない。
　したがって、原査定を維持することはできない。
第１０　むすび
　以上のとおり、原査定の理由及び当審の拒絶理由によって、本願を拒絶することはできない。
　また、他に本願を拒絶すべき理由を発見しない。
　よって、結論のとおり審決する。